(57)【特許請求の範囲】
【請求項１】
循環走行して乗客を搬送する無端搬送体の走行路に沿って立設された複数の透明性を有するガラス製欄干パネルを有する乗客コンベアにおいて、当該複数のガラス製欄干パネルのうちのいずれかと交換可能な仮設欄干パネルであって、
交換対象となる前記ガラス製欄干パネルの主面と同形状をなす本体パネルの両主面に化粧処理が施されてなり、当該ガラス製欄干パネルと同じ厚みを有し、
前記本体パネルが、木質ボード、紙材、または、紙材と樹脂を混合した複合材料からなることを特徴とする仮設欄干パネル。
【請求項２】
前記化粧処理として、前記本体パネルの両主面に化粧シートがそれぞれ設けられていることを特徴とする請求項１に記載の仮設欄干パネル。
【請求項３】
前記化粧シートが、金属薄板からなることを特徴とする請求項２に記載の仮設欄干パネル。
【請求項４】
前記化粧処理が、塗装または蒸着、若しくは、樹脂製または紙製からなる化粧シートの貼設であることを特徴とする請求項１に記載の仮設欄干パネル。
【発明の詳細な説明】
【技術分野】
【０００１】
本発明は、乗客コンベアの欄干に取り付けられる欄干パネルに関する。
【背景技術】
【０００２】
乗客コンベア、例えば、エスカレータでは、環状に連結されて循環走行する踏段の両側に欄干が設置されている（例えば、特許文献１）。欄干は、踏段の走行路に沿って立設された複数の欄干パネルを有する。欄干パネルの各々は、トラスに固定されたパネル保持部材によって下端部を挟持された状態で、それぞれ直立姿勢に保持されている。この欄干パネルには、近年においてデザイン性が重視される中、ガラス板の両面または片面に飛散防止フィルムが貼着されてなるガラス製欄干パネル（以下、単に「ガラスパネル」という）が多く用いられている。
【０００３】
上記構成からなるエスカレータでは、欄干パネル、すなわちガラスパネルが、欄干全体の強度及び剛性の大部分を負担している。よって、ガラスパネルに亀裂等の破損が生じた場合には、欄干全体の必要強度が不足するといった事態に陥るおそれがあるため、安全上エスカレータの運転を一旦停止させ、破損したガラスパネルをできるだけ早急に交換することが望ましい。とりわけ、大型商業施設などでは、エスカレータが来客の主要動線の一つとして重要な役割を担っているので、可能な限り迅速な復旧作業が要求される。このとき、交換用のガラスパネルを補用品として常時ストックしておけば、エスカレータの運転復旧までに要する時間を可能な限り短縮できるものと考えられる。
【０００４】
しかしながら、ガラスパネルは高価な上、破損発生のタイミングを知ることは現実的には不可能であるという理由などにより、在庫負担の大きい補用品ではなく受注生産品として取り扱われていることが多い。このため、従来は、交換用のガラスパネルが準備されるまでの間、既設のガラスパネルの破損部位をガムテープ等の粘着テープで補修し、ベニヤ板等の補強部材を貼り付けるなどの応急補修が施された状態で、エスカレータを仮復旧運転させておくといった対処が行なわれている。このような対処では、応急補修部位が周囲の来客や乗客から直接視認されることとなるため、美観上好ましくない。
【０００５】
上記した問題は、環状に連結された複数の踏段からなる無端搬送体によって乗客を搬送するエスカレータの欄干に限らず、他の形式の無端搬送体、例えばゴムベルト式の無端搬送体を有する乗客コンベアである「動く歩道」の欄干にも共通するものである。
【先行技術文献】
【特許文献】
【０００６】
【特許文献１】特開２０１１−１７３７１１号公報
【発明の概要】
【発明が解決しようとする課題】
【０００７】
本発明は、上記の課題に鑑み、欄干パネルの在庫負担の増大を招来することなく、可能な限り美観を損なわせずに乗客コンベアの仮復旧運転を行うことを可能とすることを目的とする。
【課題を解決するための手段】
【０００８】
本発明は、循環走行して乗客を搬送する無端搬送体の走行路に沿って立設された複数の欄干パネルを有する乗客コンベアにおいて、当該複数の欄干パネルのうちのいずれかと交換可能な仮設欄干パネルであって、交換対象となる前記欄干パネルの主面と同形状をなす本体パネルの両主面に化粧処理が施されてなり、当該欄干パネルと同じ厚みを有することを特徴とする。
【０００９】
本発明の仮設欄干パネルでは、前記本体パネルが、木質ボードからなることを特徴としてもよい。
【００１０】
本発明の仮設欄干パネルでは、前記化粧処理として、前記本体パネルの両主面に化粧シートがそれぞれ設けられていることを特徴としてもよい。
【００１１】
本発明の仮設欄干パネルでは、前記化粧シートが、金属薄板からなることを特徴としてもよい。
【発明の効果】
【００１２】
上記の構成からなる仮設欄干パネルによれば、既設の欄干パネルと同じ形状及び厚みを有するので、破損した欄干パネルが当該仮設欄干パネルに交換された状態で乗客コンベアの仮復旧運転を行うことが可能である。この仮設欄干パネルを構成する本体パネルの両主面には化粧処理が施されているため、乗客コンベアを利用する乗客等から直接視認されても、当該乗客コンベアの美観を可能な限り損なわせずに仮復旧運転を行うことが可能となる。また、既設の欄干パネルの各々が、形状の異なるものを含んでいるような場合であっても、交換対象となる欄干パネルに対応した仮設欄干パネルをストックしておけば足り、本復旧の際に使用される正規の欄干パネルの在庫負担が増大するといった事態を招来することもない。
【図面の簡単な説明】
【００１３】
【図１】エスカレータの概略構成を示す（ａ）側面図および（ｂ）平面図である。
【図２】実施形態に係る仮設欄干パネルの（ａ）側面図および（ｂ）Ａ−Ａ線に沿って切断した断面図である。
【図３】上記仮設欄干パネルが取り付けられた状態で仮復旧運転される上記エスカレータの側面図である。
【発明を実施するための形態】
【００１４】
以下、本発明に係る仮設欄干パネルの実施形態について、エスカレータの欄干に用いられる場合を例にとり、図面を参照しながら説明する。
【００１５】
図１に示すように、エスカレータ１は、環状に連結されて循環走行する無端搬送体である複数の踏段２を有する。走行する踏段２の両側には、欄干３，４（図１（ａ）では不図示）が設置されている。
【００１６】
欄干３には、複数の欄干パネルであるガラスパネル５が踏段２の走行路に沿って立設されている。ガラスパネル５の各々は、主面の形状が異なるガラスパネル５ａ，５ｂ，５ｃを含む。以下、ガラスパネル５ａ，５ｂ，５ｃと符号を区別して示されている場合には、図１（ａ）において、当該符号が付された特定のガラスパネルまたは当該ガラスパネルと主面の形状が同じものを指すこととする。ガラスパネル５の各々は、トラス（不図示）に固定されたパネル保持部材（不図示）によって、それぞれの下端部を挟持された状態で直立姿勢に保持されている。なお、欄干４にも、複数のガラスパネル（不図示）が、欄干３と同様に、踏段２の走行路に沿って直立姿勢でそれぞれ立設されている。
【００１７】
ガラスパネル５各々の外周には、ガイドレール（不図示）に案内されて循環走行する無端状の移動手摺６，７（図１（ａ）では不図示）が設けられている。移動手摺６，７は、それぞれ踏段２の走行に同期して、エスカレータ１の上下の両端部領域では水平方向へ移動するように案内され、当該両端部領域の間では斜行するように案内される。環状に連結された複数の踏段２と移動手摺６，７とは、モータ８を動力源とし、不図示の動力伝達機構を介して駆動される。モータ８の動停止、安全装置（不図示）その他エスカレータ１の運転動作全般は、制御部９によって制御されている。
【００１８】
エスカレータ１は、建築物内の階下のフロアＤＳと階上のフロアＵＳとの間に架け渡されて設置されていて、環状に連結された踏段２の各々は、図１（ａ）に矢印で示す方向に循環走行される。本例のエスカレータ１は、昇り用として用いられ、階下から踏段２に乗った乗客が階上へと運ばれる。
【００１９】
上記の構成からなるエスカレータ１では、ガラスパネル５の各々のうちいずれかに亀裂等の破損が生じることがある。当該破損の要因は様々であり、例えば、ガラスの自然破壊（いわゆる「自爆」）、ガラスに何らかの外力（例えば、乗客の身体や手荷物等から受ける衝撃）が加わることによる衝撃破壊などが挙げられる。この場合、既述したように、破損したものと交換される新しいガラスパネル５が準備されるまでの間、エスカレータ１は仮復旧運転されることとなる。
【００２０】
以下、図１（ａ）において符号「５ａ」が付されたガラスパネル５に破損が生じたものと仮定し、実施形態に係る仮設欄干パネル１０（図２）について説明することとする。
【００２１】
本実施形態の仮設欄干パネル１０は、上記仮復旧運転の際、破損したガラスパネル５ａと交換される。図２に示すように、仮設欄干パネル１０は、交換対象となるガラスパネル５ａの主面と同じ方形状をなす本体パネルである木製の合板１１を含む。合板１１の両主面には、化粧処理として、化粧シートであるステンレス製の金属薄板１２，１３が、各主面の全面に亘ってそれぞれ設けられている。すなわち、仮設欄干パネル１０は、一対の金属薄板１２，１３の間に合板１１を挟んだサンドイッチ構造をなす複合パネルからなり、合板１１と金属薄板１２，１３とは、それぞれ接着層（不図示）を介して貼り合わされている。
【００２２】
仮設欄干パネル１０は、交換対象となるガラスパネル５ａと同じ厚みを有する。具体的には、合板１１の板厚ｔ１、一対の金属薄板１２，１３各々の板厚ｔ２，ｔ３、および、不図示の接着層の厚みをそれぞれ合計したパネル全体の厚みが、ガラスパネル５ａの厚みと等しくなるように設計されている。このような構成とすることで、仮設欄干パネル１０をガラスパネル５ａと交換する際、既設のガラスパネル５ａの取付けに使用されている既存の部品をそのまま用いて、欄干３を構成する一時的な部品として取り付けることが可能となる。
【００２３】
なお、仮設欄干パネル１０の外周側面には、必ずしも化粧処理が施されている必要はなく、合板１１、一対の金属薄板１２，１３、および、これらの間に形成された不図示の接着層の各々からなる積層面（図２（ｂ））が露出したままの状態であっても構わない。欄干３において、ガラスパネル５ａが仮設欄干パネル１０へと交換されたとき、仮設欄干パネル１０の外周側面は、エスカレータ１の周囲にいる来客や乗客からは視認されない、もしくは視認され難いため、エスカレータ１の外観に影響を及ぼさないからである。これにより、構成の簡素化による材料コストや加工コスト等の削減を図ることが可能となり、仮設欄干パネル１０を安価で得ることができる。
【００２４】
仮設欄干パネル１０の欄干３への取付けおよび取外しの手順については、本復旧作業として既に行われているガラスパネル５ａの欄干３への取付けおよび取外しの手順と同じであるため、その説明は省略することとする。
【００２５】
図３には、欄干３のガラスパネル５ａが仮設欄干パネル１０に交換された状態で仮復旧運転されているエスカレータ１を側面視した外観が示されている。欄干３に取り付けられた仮設欄干パネル１０において、エスカレータ１の周囲にいる来客や乗客から直接視認されるのは、金属薄板１２，１３の部分である。一方、仮設欄干パネル１０以外の欄干パネルは、すべて既設のガラス製のものである。このため、欄干３において、各欄干パネルのみに着目して見ると、仮設欄干パネル１０が取り付けられている部位のみが、その他の部位とは異質な外観となっている。
【００２６】
しかし、欄干３の他の部位（例えば、公知の外デッキ、内デッキ、手摺用ガイドレールなど）には、ステンレス等の金属製の部品が用いられていることが多く、仮設欄干パネル１０の外観と共通する質感を有するものとなっている。よって、欄干３全体の外観として見ると、従来の応急補修部位と比較して、その外観上の違和感が軽減されることとなる。その結果、仮復旧運転中のエスカレータ１の美観が損なわれる程度を抑制することができるのである。
【００２７】
このように、本実施形態の仮設欄干パネル１０によれば、既設の欄干パネルであるガラスパネル５ａと同じ形状及び厚みを有するので、仮にガラスパネル５ａが破損しても、そのガラスパネル５ａが仮設欄干パネル１０へと交換された状態でエスカレータ１の仮復旧運転を行うことが可能である。この仮設欄干パネル１０を構成する本体パネルである合板１１の両主面には、ステンレス製の金属薄板１２，１３を貼設するといった化粧処理が施されているため、仮設欄干パネル１０が取り付けられた欄干３の外観上の違和感を軽減することができる。よって、エスカレータ１を利用する乗客等から仮設欄干パネル１０を直接視認されても、従来と比較して、エスカレータ１の美観を損なわせずに仮復旧運転を行うことが可能となる。
【００２８】
また、仮設欄干パネル１０は、上記したように、一対の金属薄板１２，１３の間に合板１１を挟んだサンドイッチ構造をなす複合パネルから構成されているので、例えば、合板１１のみからなるような場合と比較して、パネル全体としての強度及び剛性が、金属薄板１２，１３の各々によって補強されている。これにより、仮設欄干パネル１０を用いたエスカレータ１の仮復旧運転を行うにあたり、本復旧の際に使用される正規のガラスパネル５ａが準備されるまでの間、安全上の支障が生じない程度の強度及び剛性を欄干３に保持させておくことができる。
【００２９】
さらに、仮設欄干パネル１０は、その体積の大部分を木製の合板１１が占めると共に、木材よりも比重の大きい金属材料からなる金属薄板１２，１３は占有体積の小さい化粧シートに過ぎないため、ガラスパネル５ａと比較して軽量なものとなっている。しかも、仮設欄干パネル１０は、搬送中や欄干３への取付けおよび取外しの作業中に破損するおそれが少ないので、たとえガラスパネル５ａよりもラフな取り扱いがなされたとしても差し支えはない。このため、作業員一人あたりの作業負担が軽減されると共に、仮復旧のための作業性を向上させることができ、ひいては、エスカレータ１の仮復旧運転を開始するまでに要する時間を短縮することができる。
【００３０】
なお、上記説明では、図１（ａ）において符号「５ａ」が付されているガラスパネル５に破損が生じたものと仮定しているが、欄干３の他の部位に設けられている、ガラスパネル５ａの主面と合同な方形状をなす他のガラスパネル５が破損した場合においても、上記の構成からなる仮設欄干パネル１０を用いることが可能であることは言うまでもない。
【００３１】
ガラスパネル５ａの主面とは異なる形状、すなわち、略扇紙形状をした主面を有するガラスパネル５ｂ、略半円形状をした主面を有するガラスパネル５ｃの各々についても、それぞれの主面の形状に対応した上記の仮設欄干パネル１０と同様の構成からなる他の仮設欄干パネルを準備しておけばよい。
【００３２】
欄干３を構成するガラスパネル５ａ，５ｂ，５ｃの各々に対応した仮設欄干パネル１０および上記他の仮設欄干パネルは、踏段２の走行路を挟んで欄干３とは反対側に位置する欄干４を構成する不図示のガラスパネルに破損が生じた場合にも、破損したガラスパネルの形状及び厚みと同じである限り、何ら問題なく使用することができる。
【００３３】
よって、仮設欄干パネル１０および上記他の仮設欄干パネルによれば、欄干３を構成する既設のガラスパネル５ａ，５ｂ，５ｃのように、それぞれ主面の形状が異なるものを含んでいる場合であっても、各ガラスパネル５ａ，５ｂ，５ｃに対応したものを、少なくとも１組以上、必要であれば、構成枚数の多いもの（本例では、ガラスパネル５ａ）と同一形状のものを多めにストックしておけば、欄干３を構成する各ガラスパネル５のうちのいずれかと交換可能となるので、エスカレータ１を仮復旧させるにはそれで足りる。このため、本復旧の際に使用される正規のガラスパネルの在庫負担が増大するといった事態を招来することもない。
【００３４】
しかも、上記のとおり、仮設欄干パネル１０は安価で得られる簡易な構成とすることができるため、たとえ数量にある程度の余裕をもってストックしておいても、それと同じ数量のガラスパネル５を補用品としてストックしておくほどの在庫負担を強いるまでには至らない。
【００３５】
以上、実施形態に係る仮設欄干パネル１０等について説明したが、本発明に係る仮設欄干パネルは、その他の形態で実施することもできる。
【００３６】
（１）上記実施形態では、本体パネルとして、木質ボードの一種である木製の合板１１が用いられているが、その他の種類の木質ボードを用いても構わない。例えば、木製の単板、集成材、パーティクルボード、或いは、インシュレーションボード、ハードボード、中質繊維板（ＭＤＦ:Medium Density Fiberboard）等の繊維板などの公知の木質ボードを用いることができる。これらの木質ボードは、単層であっても良いし、複数のボードが積層されたものであっても良い。
【００３７】
（２）本体パネルの材質は、必ずしも木製である必要はなく、例えば、樹脂、紙材、或いはこれらの材料を混合した複合材料からなるものであっても良い。とりわけ、透明性に優れたアクリル系樹脂、透明性と耐衝撃性を兼備するポリカーボネート系樹脂などの透明樹脂からなる透明パネルを本体パネルに用いれば、ガラスパネルと同様の透明性を有する意匠性を保持することができ、エスカレータ１の美観をほとんど損なわせることなく、仮復旧運転を行うことが可能となる点で有利である。この場合、例えば、バフ仕上げ等の研磨処理、透明な意匠性を保持するために耐擦傷性を付与するハードコート処理、全光線透過率などの光学特性を調整する光学調整処理といった表面処理が、透明パネルの主面への化粧処理に相当することとなる。
【００３８】
（３）上記実施形態では、化粧処理として、本体パネルである合板１１の両主面に化粧シートである一対の金属薄板１２，１３をそれぞれ設けているが、上記仮復旧運転における安全上の支障が生じない程度の強度及び剛性を確保できる限り、その他の化粧処理が施されていても構わない。例えば、塗装、蒸着、他の材質（例えば、樹脂製、紙製など）の化粧シートの貼設などの化粧処理が施されたものであっても良い。これらの化粧処理が施された本体パネルの両主面に対して、さらに樹脂コーティング等の表面処理を施したものであっても良い。
【００３９】
（４）上記化粧処理は、美観を損なわせない化粧処理であれば、必ずしも金属調である必要はない。例えば、建築物の壁面、床面その他周囲の装飾物などの質感や模様などと共通する意匠性を付与するような化粧処理が施されていても良い。このような化粧処理であっても、エスカレータ１とその周囲の外観との関係から違和感が軽減され、従来よりもエスカレータ１の美観を損なわせずに仮復旧運転を行うことができる。
【００４０】
（５）上記化粧処理は、必ずしも本体パネルの両主面の全面に亘って施されている必要はなく、主面全体の一部に化粧処理が施されたものであっても良い。また、本体パネルの一方の主面と他方の主面とで、それぞれ異なる化粧処理が施されていても良い。例えば、踏段２に近い内側の主面には金属調の化粧処理や補強目的の化粧処理を施し、その反対側に位置する外側の主面には宣伝広告などを化粧処理として施せば、仮設欄干パネルを一時的な情報媒体として利用することもできる。
【００４１】
（６）上記したエスカレータ１の欄干３（及び欄干４）は、方形状をしたガラスパネル５ａを共通部品として最多数有するものであったが、例えば、移動手摺が斜行する領域に設けられるガラスパネルの主面の形状が平行四辺形である欄干を備えたエスカレータにも適用できる。この場合、当該平行四辺形の主面を有するガラスパネルに対応した仮設欄干パネルをさらに準備しておけばよい。
【００４２】
（７）上記実施形態では、昇り用として用いられるエスカレータ１を例にとり説明したが、エスカレータ１は降り用として用いられるものであっても構わない。この場合、環状に連結された踏段２の各々が、図１（ａ）に示す矢印とは逆方向に循環走行され、階上から踏段２に乗った乗客が階下へと運ばれることとなる。
【００４３】
（８）上記実施形態では、本発明に係る仮設欄干パネルを、エスカレータの欄干に適用した例に基づいて説明したが、本発明に係る仮設欄干パネルは、エスカレータに限らず、他の乗客コンベア、例えば、パレット式やゴムベルト式の「動く歩道」の欄干にも適用できる。すなわち、環状に連結された複数のパレットからなる無端搬送体やゴムベルトからなる無端搬送体を循環走行させて乗客を搬送する動く歩道の欄干にも適用できる。
【００４４】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００４５】
１  エスカレータ
２  踏段
５  ガラスパネル
１０  仮設欄干パネル
１１  合板
１２  金属薄板
１３  金属薄板
【図１】
0006330225.tif 000002
【図２】
0006330225.tif 000003
【図３】
0006330225.tif 000004